(57)【要約】【課題】  埋設仕様のハウジング側面に設けられている電線入出部を、ハウジングを露出設置する場合でも使用することができる。【解決手段】  背板２１及び背板２１の周囲４辺を囲む側面板２２を有して、前面が開放されたハウジング本体２と、ハウジング本体２の前面を閉塞する前面板３と、側面板２２全体を覆うカバー枠４とを有し、側面板２２は少なくとも１側面板に電線を入出させるための穴を形成可能とするノックアウト２４が設けられており、カバー枠４のノックアウト２４に対応する部位には、切り抜きを容易とする薄肉部４３が形成されている。【選択図】  図２
2019216575.tif 000002
【特許請求の範囲】
【請求項１】
背板及び当該背板の周囲４辺を囲む側面板を有して、前面が開放されたハウジング本体と、前記ハウジング本体の前面を閉塞する前面板とを有し、内部に電気機器を収容可能とした分電盤ハウジングであって、
前記側面板の全体を覆うカバー枠を有する一方、前記側面板は少なくとも１側面板に電線を入出させるための穴を形成可能とするノックアウトが設けられており、
前記カバー枠の前記ノックアウトに対応する部位には、開口部の形成を容易とする薄肉部が形成されて成ることを特徴とする分電盤ハウジング。
【請求項２】
前記前面板は前記ハウジング本体より外郭が大きく、両者の間には段差を有する一方、前記カバー枠は前記前面板の外郭に一致する大きさを有しており、
前記側面板を覆った前記カバー枠により、前記段差が無くなることを特徴とする請求項１記載の分電盤ハウジング。
【請求項３】
前記カバー枠は前記前面板に連結される連結部を有し、前記前面板に連結された状態で前記ハウジング本体の周囲に配置されて固定されることを特徴とする請求項１又は２記載の分電盤ハウジング。
【請求項４】
前記カバー枠は、前記ハウジング本体の側面板毎に分割されて形成され、４部材で構成されることを特徴とする請求項１乃至３の何れかに記載の分電盤ハウジング。
【発明の詳細な説明】
【技術分野】
【０００１】
本発明は、ブレーカ等の電気機器或いは情報端末機器を収納する分電盤のハウジングに関し、特に壁面に埋設して設置する形態と壁面から露出させて設置する形態の双方を可能とする分電盤ハウジングに関する。
【背景技術】
【０００２】
ブレーカ等を収容する分電盤のハウジングには、ハウジングの主要部を壁面に埋設させて設置するものと、壁面に埋設せずに全体を壁面から露出させて設置するものとがある。そのため、この双方の設置形態に対応できるハウジングが提案されている。
例えば、特許文献１の分電盤ハウジングは、ハウジングの周囲に段部（段差）を設けて背部を一回り小さく形成し、この段差より後方を壁面に埋設可能とした。一方、埋設せずにハウジング全体を露出させる場合は、一回り小さいハウジング後部を覆って段差を無くすよう形成したカバー枠（被覆部材）をハウジング周囲に取り付けて対応した。
【先行技術文献】
【特許文献】
【０００３】
【特許文献１】特開平８−２０５３２５号公報
【発明の概要】
【発明が解決しようとする課題】
【０００４】
上記カバー枠をハウジングに取り付ける構成は、露出設置した場合に段差部に塵が溜まり難いし、露出した埋設部が隠れるため外観的にも好ましかった。
しかしながら、ハウジングの周囲を覆うカバー枠は、一様な幅を有して隙間が発生しないよう形成されているため、ハウジング側面の埋設される部位に電線入出のため穴、或いは穴を形成可能なノックアウトが設けられている場合、この穴或いはノックアウトが使用できなくなった。
また、埋設部はハウジングの途中に段差を設けて形成されているため、この段差によりカバー枠の着脱はハウジングを壁面に取り付けた状態では難しかった。
【０００５】
そこで、本発明はこのような問題点に鑑み、埋設仕様のハウジング側面に設けられている電線入出部を、ハウジングを露出設置する場合でも使用することができ、またハウジングの埋設部を覆うカバー枠の着脱が容易な分電盤ハウジングを提供することを目的としている。
【課題を解決するための手段】
【０００６】
上記課題を解決する為に、請求項１の発明は、背板及び当該背板の周囲４辺を囲む側面板を有して、前面が開放されたハウジング本体と、ハウジング本体の前面を閉塞する前面板とを有し、内部に電気機器を収容可能とした分電盤ハウジングであって、側面板全体を覆うカバー枠を有する一方、側面板は少なくとも１側面板に電線を入出させるための穴を形成可能とするノックアウトが設けられており、カバー枠のノックアウトに対応する部位には、開口部の形成を容易とする薄肉部が形成されて成ることを特徴とする。
この構成によれば、ハウジング本体をカバー枠で覆っても、カバー枠にはハウジング本体のノックアウト位置に合わせて薄肉部が設けられているので、カバー枠を取り付けてもノックアウトを使用した電線の入出が可能である。そして、カバー枠でハウジング本体が覆われるため、ハウジング本体を壁面から露出させても外観的に好ましくできる。
【０００７】
請求項２の発明は、請求項１に記載の構成において、前面板はハウジング本体より外郭が大きく、両者の間には段差を有する一方、カバー枠は前面板の外郭に一致する大きさを有しており、側面板を覆ったカバー枠により、段差が無くなることを特徴とする。
この構成によれば、前面板はハウジング本体より外郭が大きいため、カバー枠を取り除いてハウジング本体を壁面に埋設すれば、装着した前面板によりハウジング本体と壁面との間の隙間を塞ぐことができ、別途閉塞部材を必要としない。
そして、カバー枠は前面板の外郭に一致する大きさを有するため、前面板を外すだけでカバー枠の着脱が可能であるし、ハウジング本体を露出して使用する場合はカバー枠を取り付けることで、前面板とハウジング本体との段差を無くしてすっきりした形状にでき、外観的に好ましい。
【０００８】
請求項３の発明は、請求項１又は２に記載の構成において、カバー枠は前面板に連結される連結部を有し、前面板に連結された状態でハウジング本体の周囲に配置されて固定されることを特徴とする。
この構成によれば、カバー枠の取り付けは前面板に取り付ける操作のみで良く、簡易な操作で取り付けできる。
【０００９】
請求項４の発明は、請求項１乃至３の何れかに記載の構成において、カバー枠は、ハウジング本体の側面板毎に分割されて形成され、４部材で構成されることを特徴とする。
この構成によれば、取り外したカバー枠は４枚の板片に分割できるため、省スペースで保管できる。
【発明の効果】
【００１０】
本発明によれば、ハウジング本体をカバー枠で覆っても、カバー枠にはハウジング本体のノックアウト位置に合わせて薄肉部が設けられているので、カバー枠を取り付けてもノックアウトを使用した電線の入出が可能である。そして、カバー枠でハウジング本体が覆われるため、ハウジング本体を壁面から露出させても外観的に好ましくできる。
【図面の簡単な説明】
【００１１】
【図１】本発明に係る分電盤ハウジングの一例を示す斜視図である。
【図２】ハウジング本体を分離した説明図である。
【図３】前面板とカバー枠の関係を示す説明図であり、後方から見た分解斜視図である。
【図４】カバー枠を前面板に取り付ける手順を示す後方から見た斜視説明図であり、（ａ）は縦分割片を取り付ける説明図、（ｂ）は横分割片を取り付ける説明図、（ｃ）は取り付けが完了した状態の説明図である。
【図５】カバー枠を取り外した分電盤ハウジングの斜視図である。
【発明を実施するための形態】
【００１２】
以下、本発明を具体化した実施の形態を、図面を参照して詳細に説明する。図１，２は本発明に係る分電盤ハウジングの一例を示し、図１は斜視図、図２は分電盤ハウジング本体を分離した状態を示している。分電盤ハウジング１は、前面側が開口している箱状のハウジング本体２と、ハウジング本体２の前面を閉塞する前面板３と、ハウジング本体２の周囲を覆うカバー枠４とで構成されている。
【００１３】
ハウジング本体２は、鋼板を折り曲げて形成され、背板２１と背板周囲を覆う左側面２２ａ、右側面２２ｂ、天面２２ｃ、底面２２ｄの４面から成る側面板２２を有し、堅牢に形成されて壁面に埋設可能に構成されている。背板２１には、分岐ブレーカ等の電気機器を組み付けるための取り付け金具２１ａが設けられ、背板２１の４隅には壁面或いは壁面内に取り付けるためのねじ挿通孔（図示せず）が設けられている。
【００１４】
側面板２２の天面２２ｃ及び底面２２ｄには、図示しない電線を入出する穴を形成するためのノックアウト２４が複数形成されており、必要に応じて打ち抜いて容易に穴が形成できるようになっている。
また、左右側板２２ａ、２２ｂの中央前面には、内側に折り曲げて前面板３を取り付けるための舌片２５が形成され、前面板３を連結するためのねじ孔２５ａが形成されている。
【００１５】
前面板３及びカバー枠４は合成樹脂製であり、前面板３は収納した分岐ブレーカ等の操作ハンドルを露出させる窓３５が中央に開口形成されており、この窓３５を塞ぐための扉板３２が開閉可能に取り付けられている。また、扉板３２で閉塞される窓３５の左右には、ハウジング本体２のねじ孔２５ａに合致する部位にねじ挿通孔３４が設けられている。尚、図１は扉板３２を開けた状態、図２は閉じた状態を示している。
【００１６】
図３は前面板３とカバー枠４の説明図であり、後方からみた分解斜視図である。図３に示すように、カバー枠４はハウジング本体２の側面板２２毎に分割され、４分割されて形成されている。そして、前面板３への連結部を有し、前面板３をハウジング本体２に取り付けることで、カバー枠４もハウジング本体２に装着されるよう構成されている。以下具体的に説明する。
前面板３は、周囲が後方に折り曲げられ、背部方向に一様な厚みを有するスカート部３１が形成されている。このスカート部３１は二重に形成されており、その間にカバー枠４を組み付けるためのスリット状の溝３３が形成され、且つ周設されている。
【００１７】
一方、カバー枠４は、ハウジング本体２の側面板２２のそれぞれの面に対応する部位が分割形成され、４つの部材から構成されている。側面板２２の左右側面２２ａ，２２ｂに対応する２つの縦分割片４ａ、天面２２ｃ、底面２２ｄに対応する２つの横分割片４ｂから成り、左右に配置される縦分割片４ａは同一形状の部材が使用され、上下に配置される横分割片４ｂは同一形状の部材が使用され、２種類の部材で形成されている。
各分割片４ａ，４ｂには、溝３３に挿入される舌状の挿入片４１が突設されており、それぞれの挿入片４１が溝３３に挿入されることで、前面板３に連結される。
尚、カバー枠４はハウジング本体２を壁面に埋設せず、壁面上に露出設置する場合に使用され、埋設する場合は取り外されて使用されない。
【００１８】
また、縦分割片４ａ及び横分割片４ｂは、隣接する分割片同士で隙間が発生しないよう係合部４２（４２ａ，４２ｂ）が形成されている。縦分割片４ａの係合部４２ａは、横分割片４ｂの係合部４２ｂを挿入して挟持する挟持片を設けて形成され、横分割片４２ｂの係合部４２ｂは、その挟持片に挿入される帯片を設けて形成されている。
【００１９】
そして、横分割片４ｂのハウジング本体２に形成されたノックアウト２４に対応する部位には、ノックアウト２４の位置に合わせて薄肉部４３が形成されている。薄肉部４３を形成するこよで、ノックアウト２４に連通する切り欠き（開口部）を形成し易くしている。
【００２０】
一方、前面板３は、その外郭がハウジング本体２の外郭より大きく形成され、スカート部３１の内側にハウジング本体２が収容されるよう形成されている。図５はカバー枠４を取り外した分電盤ハウジングの斜視図を示し、この図５に示すように前面板３はハウジング本体２より一回り大きく形成されて、連結した際は周囲に段差Ｂが形成される。こうして段差Ｂを設けることで、ハウジング本体２を壁面に埋設した場合に、周囲に発生する壁面との隙間を前面板３により隠すことを可能としている。
また、カバー枠４を取り付けた前面板３をハウジング本体２に取り付ければ、前面板３とハウジング本体２との間の段差Ｂが隠れて段差の無い一様な側面が形成される。
【００２１】
図４は、カバー枠４を前面板３に取り付ける手順を示す後方から見た斜視説明図であり、（ａ）は縦分割片４ａを取り付ける説明図、（ｂ）は横分割片４ｂを取り付ける説明図、（ｃ）は取り付けが完了した状態の説明図をそれぞれ示している。図４では、最初に左右の縦分割片４ａを前面板３に取り付け、その後横分割片４ｂを取り付ける流れを示している。この場合、横分割片４ｂの取り付けは、縦分割片４ａの係合部４２ａに、横分割片の係合部４２ｂを挿入しながらスライドさせて前面板３に連結させる。各分割片４ａ，４ｂは、挿入片４１が溝３３に挿入されて連結される。
そして、このように分割片４ａ，４ｂ同士の当接部に重なり部を設けて係合部４２を形成することで、隙間の発生を防止すると共に、分割片４ａ，４ｂ同士を連結させて一体化を実施している。
尚、取り付け順序は逆でも良く、最初に横分割片４ｂを前面板３に取り付け、その後係合部４２同士を合致させた状態で縦分割片４ａをスライドさせて前面板３に連結しても良い。
【００２２】
そして、カバー枠４を取り付けて蓋状に形成された前面板３を、ハウジング本体２に対して前方から外挿するように取り付けることで、カバー枠４はハウジング本体２の側面板２２を覆うように配置される。その後、前面板３の左右に設けられたねじ挿通孔３４を使用してねじ止めすれば、ハウジング本体２に前面板３が固定され、同時にカバー枠４も位置決めされ固定される。
【００２３】
このように、ハウジング本体２をカバー枠４で覆っても、カバー枠４にはハウジング本体２のノックアウト２４の位置に合わせて薄肉部４３が設けられているので、カバー枠４を取り付けてもノックアウト２４を使用した電線の入出が可能である。そして、カバー枠４でハウジング本体２が覆われるため、ハウジング本体２を壁面から露出させても外観的に好ましくできる。
また、前面板３はハウジング本体２より外郭が大きいため、カバー枠４を取り除いてハウジング本体２を壁面に埋設すれば、装着した前面板３によりハウジング本体２と壁面との間の隙間を塞ぐことができ、別途閉塞部材を必要としない。
そして、カバー枠４は前面板３の外郭に一致する大きさを有するため、前面板３を外すだけでカバー枠４の着脱が可能であるし、ハウジング本体２を露出して使用する場合はカバー枠４を取り付けることで、前面板３とハウジング本体２との段差を無くしてすっきりした形状にでき、外観的に好ましい。
加えて、カバー枠４の取り付けは、前面板３に挿入して取り付ける操作のみで良く、ねじ止め等必要なく簡易な操作で取り付けできるし、取り外したカバー枠４は４枚の板片に分割できるため、省スペースで保管できる。
【００２４】
尚、上記実施形態では、ハウジング本体２の天面２２ｃ及び底面２２ｄにノックアウト２４を設けているが、側面２２ａ，２２ｂに設けても良く、その場合は対応する縦分割片４ａに薄肉部が形成される。また、ハウジング本体２は、金属製に限定するものでは無く、合成樹脂製であっても良い。
【産業上の利用可能性】
【００２５】
上記実施形態は、主に分岐回路を形成するためのブレーカを収納する分電盤について説明したが、情報機器を収納する情報分電盤にも適用できるものである。
【符号の説明】
【００２６】
１・・分電盤ハウジング、２・・ハウジング本体、３・・前面板、４・・カバー枠、４ａ・・縦分割片、４ｂ・・横分割片、２１・・背板、２２・・側面板、２４・・ノックアウト、３３・・溝、４１・・挿入片（連結部）、４２（４２ａ，４２ｂ）・・係合部、４３・・薄肉部、Ｂ・・段差。
【図１】
2019216575.tif 000003
【図２】
2019216575.tif 000004
【図３】
2019216575.tif 000005
【図４】
2019216575.tif 000006
【図５】
2019216575.tif 000007